【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
コンテンツを記録する記録装置と、前記コンテンツに付加情報を付加するためのユーザ操作を受け付ける操作装置とを有するコンテンツ管理装置であって、
前記記録装置において、記録媒体に記録されている最新のコンテンツデータに付加情報を関連付けて記録する第１の処理を、前記操作装置への所定のユーザ操作に応じて実行する実行手段と、
前記最新のコンテンツデータが、前記記録装置によって前記記録媒体に直前に記録されたコンテンツデータである場合は前記第１の処理の実行指示のための前記所定のユーザ操作を可能にし、前記最新のコンテンツデータが、前記記録装置によって前記記録媒体に直前に記録されたコンテンツデータでない場合は前記第１の処理の実行指示のための前記所定のユーザ操作を不能とする制御手段と、を備えることを特徴とするコンテンツ管理装置。
【請求項２】
前記最新のコンテンツデータが、前記記録装置によって前記記録媒体に直前に記録されたコンテンツデータとして特定可能な状態か否かを判定する判定手段をさらに備え、
前記制御手段は、前記判定手段により前記特定可能な状態であると判定された場合に、前記最新のコンテンツデータが、前記記録装置によって前記記録媒体に直前に記録されたコンテンツデータであるか否かを判断することを特徴とする請求項１に記載のコンテンツ管理装置。
【請求項３】
前記判定手段は、記録媒体に記録された最新のコンテンツデータを消去するコマンドが実行された場合に、前記特定可能な状態ではないと判定することを特徴とする請求項２に記載のコンテンツ管理装置。
【請求項４】
コンテンツデータが記録される記録媒体を着脱可能な装着部と、
前記装着部に記録媒体が装着されているか否かを検出する検出手段と、を更に備え、
前記判定手段は、前記検出手段が前記装着部に記録媒体が装着されていないことを検出した場合には、前記特定可能な状態ではないと判定することを特徴とする請求項２または３に記載のコンテンツ管理装置。
【請求項５】
前記制御手段は、前記検出手段により前記装着部に記録媒体が装着されていなことを検出した後、前記装着部に記録媒体が装着されていることを検出した場合、その記録媒体が最後にコンテンツデータの記録を行なった記録媒体である場合には前記所定のユーザ操作を可能にすることを特徴とする請求項４に記載のコンテンツ管理装置。
【請求項６】
コンテンツデータが記録される記録媒体を着脱可能な装着部と、
前記装着部の蓋の開閉を検出する検出手段と、を更に備え、
前記判定手段は、前記検出手段により前記蓋が開いていることが検出された場合に、前記特定可能な状態ではないと判定することを特徴とする請求項２または３に記載のコンテンツ管理装置。
【請求項７】
前記制御手段は、前記蓋が閉じたことを検出した場合に、前記装着部に装着されている記録媒体が最後にコンテンツデータの記録を行なった記録媒体である場合には前記所定のユーザ操作を可能にすることを特徴とする請求項６に記載のコンテンツ管理装置。
【請求項８】
複数の記録媒体からコンテンツデータの記録先とする記録媒体を選択する選択手段を更に備え、
前記判定手段は、前記選択手段により選択された記録媒体が最後にコンテンツデータの記録を行なった記録媒体であれば前記特定可能な状態と判定し、前記選択された記録媒体が最後にコンテンツデータの記録を行なった記録媒体でなければ前記特定可能な状態でないと判定する、ことを特徴とする請求項２乃至７のいずれか１項に記載のコンテンツ管理装置。
【請求項９】
前記制御手段は、新たなコンテンツデータが前記記録媒体に記録された場合、または、前記記録媒体に記録されているコンテンツデータのうちの最新のコンテンツデータへのアクセスが発生した場合に、前記所定のユーザ操作を可能にすることを特徴とする請求項１乃至８のいずれか１項に記載のコンテンツ管理装置。
【請求項１０】
前記所定の操作に応じたコマンドを提供する外部の端末装置と通信可能に接続する接続手段を更に備え、
前記制御手段は、前記判定手段により前記特定可能な状態ではないと判定された場合に、前記接続手段を介して前記端末装置に前記所定のユーザ操作ができないことを示す情報を送信することを特徴とする請求項２乃至８のいずれか１項に記載のコンテンツ管理装置。
【請求項１１】
前記所定のユーザ操作を受け付けるための表示アイテムを表示する表示手段を更に備え、
前記制御手段は、前記記録媒体に記録されている前記最新のコンテンツデータが前記記録媒体に直前に記録されたコンテンツデータでない場合、または、前記最新のコンテンツデータが前記記録媒体に直前に記録されたコンテンツデータであると判断できない場合に、前記表示アイテムの表示形態を変更して前記ユーザ操作を受付けないように制御することを特徴とする請求項１乃至１０のいずれか１項に記載のコンテンツ管理装置。
【請求項１２】
前記コンテンツデータは、動画、静止画、音声のいずれかであることを特徴とする請求項１乃至１１のいずれか１項に記載のコンテンツ管理装置。
【請求項１３】
記録媒体にコンテンツデータを記録する記録装置と通信可能な操作装置であって、
前記記録媒体に記録された最新のコンテンツデータに関連付けて付加情報を記録する第１の処理の実行を指示するための所定のユーザ操作を受け付ける表示アイテムを表示するように制御する表示制御手段と、
前記最新のコンテンツデータが前記記録媒体に直前に記録されたコンテンツデータとして特定可能な状態か否かの通知を前記記録装置から受信する受信手段と、
前記特定可能な状態ではない場合に、前記表示アイテムの表示形態を変更して前記所定のユーザ操作を受付けないように制御する制御手段と、を備えることを特徴とする操作装置。
【請求項１４】
操作装置と通信可能な記録装置であって、
前記操作装置からの実行指示に応じて、記録媒体に記録された最新のコンテンツデータに関連付けて付加情報を記録する第１の処理を実行する実行手段と、
コンテンツデータを前記記録媒体に記録する記録手段と、
前記記録媒体において記録されている最新のコンテンツデータが、前記記録媒体に直前に記録されたコンテンツデータとして特定可能か否かを、前記操作装置に通知する通知手段と、を備えることを特徴とする記録装置。
【請求項１５】
コンテンツを記録する記録装置と、前記コンテンツに付加情報を付加するためのユーザ操作を受け付ける操作装置とを有するコンテンツ管理装置の制御方法であって、
前記記録装置において、実行手段が、記録媒体に記録されている最新のコンテンツデータに付加情報を関連付けて記録する第１の処理を、前記操作装置への所定のユーザ操作に応じて実行する実行工程と、
制御手段が、前記最新のコンテンツデータが、前記記録装置によって前記記録媒体に直前に記録されたコンテンツデータである場合は前記第１の処理の実行指示のための前記所定のユーザ操作を可能にし、前記最新のコンテンツデータが、前記記録装置によって前記記録媒体に直前に記録されたコンテンツデータでない場合は前記第１の処理の実行指示のための前記所定のユーザ操作を不能とする制御工程と、を有することを特徴とするコンテンツ管理装置の制御方法。
【請求項１６】
記録媒体にコンテンツデータを記録する記録装置と通信可能な操作装置の制御方法であって、
表示制御手段が、前記記録媒体に記録された最新のコンテンツデータに関連付けて付加情報を記録する第１の処理の実行を指示するための所定のユーザ操作を受け付けるための表示アイテムを表示するように制御する表示制御工程と、
受信手段が、前記最新のコンテンツデータが前記記録媒体に直前に記録されたコンテンツデータとして特定可能な状態か否かの通知を前記記録装置から受信する受信工程と、
前記特定可能な状態ではない場合に、制御手段が、前記表示アイテムの表示形態を変更して前記所定のユーザ操作を受付けないように制御する制御工程と、を有することを特徴とする操作装置の制御方法。
【請求項１７】
操作装置と通信可能な記録装置の制御方法であって、
実行手段が、前記操作装置からの実行指示に応じて、記録媒体に記録された最新のコンテンツデータに関連付けて付加情報を記録する第１の処理を実行する実行工程と、
記録手段が、コンテンツデータを前記記録媒体に記録する記録工程と、
通知手段が、前記記録媒体において記録されている最新のコンテンツデータが、前記記録媒体に直前に記録されたコンテンツデータとして特定可能か否かを、前記操作装置に通知する通知工程と、を有することを特徴とする記録装置の制御方法。
【請求項１８】
コンピュータを、請求項１乃至１２のいずれか１項に記載されたコンテンツ管理装置の各手段として機能させるためのプログラム。
【請求項１９】
コンピュータを、請求項１乃至１２のいずれか１項に記載されたコンテンツ管理装置の各手段として機能させるためのプログラムを格納した、コンピュータが読み取り可能な記憶媒体。
【手続補正２】
【補正対象書類名】明細書
【補正対象項目名】０００８
【補正方法】変更
【補正の内容】
【０００８】
上記の目的を達成するための本発明の一態様による装置は、以下の構成を備える。すなわち、
コンテンツを記録する記録装置と、前記コンテンツに付加情報を付加するためのユーザ操作を受け付ける操作装置とを有するコンテンツ管理装置であって、
前記記録装置において、記録媒体に記録されている最新のコンテンツデータに付加情報を関連付けて記録する第１の処理を、前記操作装置への所定のユーザ操作に応じて実行する実行手段と、
前記最新のコンテンツデータが、前記記録装置によって前記記録媒体に直前に記録されたコンテンツデータである場合は前記第１の処理の実行指示のための前記所定のユーザ操作を可能にし、前記最新のコンテンツデータが、前記記録装置によって前記記録媒体に直前に記録されたコンテンツデータでない場合は前記第１の処理の実行指示のための前記所定のユーザ操作を不能とする制御手段と、を備える。